(57)【特許請求の範囲】
【請求項１】
内容液（Ｎ）を収容する有底筒状の本体部（Ｈ）と、該本体部（Ｈ）の上端に起立連設された有頂筒状の頭部（５）と、前記本体部（Ｈ）と頭部（５）の境界部に形成され、前記本体部（Ｈ）と頭部（５）の相対変動により破断される弱化部（１１）と、前記頭部（５）内に位置する残留内容液（ｎ）の下端液面（ｎ１）の周端縁が付着する内周面部分（６）の一部に形成され、該内周面部分（６）に沿って前記残留内容液（ｎ）の表面張力が均等に作用するのを阻害する突部（７）とを備え、該突部（７）はアンプル容器成形用の有底筒状のプリフォームの内周面に、前記内周面部分（６）から下の部分において突出高さが漸次低くなるように付形された縦リブ（８）が２軸延伸ブロー成形後も引き継がれて構成されており、
前記頭部（５）から前記本体部（Ｈ）にかけて、内周面が、首部（３）から肩部（２）上端に向かい下方に拡径していることを特徴とする合成樹脂製アンプル容器。
【請求項２】
内容液（Ｎ）を収容する本体部（Ｈ）と、該本体部（Ｈ）の上端に起立連設された有頂筒状の頭部（５）と、前記本体部（Ｈ）と頭部（５）の境界部に形成され、前記本体部（Ｈ）と頭部（５）の相対変動により破断される弱化部（１１）とを備え、前記頭部（５）内に位置する残留内容液（ｎ）の下端液面（ｎ１）の周端縁が付着する内周面部分（６）の一部に、該内周面部分（６）に沿って前記残留内容液（ｎ）の表面張力が均等に作用するのを阻害する突部（７）を形成した合成樹脂製アンプル容器を成形するために、
アンプル容器成形用の有底筒状のプリフォームを、成形型面の一部に凸起を設けたブロー割金型を用いて２軸延伸ブロー成形し、該２軸延伸ブロー成形の際に前記凸起の相対的な押し込みにより前記突部（７）を構成する凸部（９）を成形することを特徴とする前記合成樹脂製アンプル容器の成形方法。
【発明の詳細な説明】
【技術分野】
【０００１】
本発明は、薬剤や栄養剤を収納する合成樹脂製アンプル容器とその成形方法に関するものである。
【背景技術】
【０００２】
薬剤や栄養剤等を収納するアンプル容器として、例えば特許文献１に示されるような、有底円筒状の胴部の上端に、上方に縮径する肩部を連設し、この肩部から有頂筒状の小内径となった首部を起立設し、この首部と肩部の境界部分に切り込み部を形成し、胴部と肩部の組み合わせ部分を２軸延伸ブロー成形した樹脂製アンプル容器が知られている。このアンプル容器は、胴部側と首部側を相対的に変動させることにより、切り込み部により形成される弱化部で破断して容器が開封されるのであるが、予め切り込み部の形状および寸法を選択設定しておくことにより、切り込み部が形成する弱化部の破断を容易とし、これによる開封の際の衝撃による内容液の飛散が生じないようにしている。
【先行技術文献】
【特許文献】
【０００３】
【特許文献１】特開２０００−０３７４４２号公報
【発明の概要】
【発明が解決しようとする課題】
【０００４】
しかしながら、特許文献１に記載された従来技術にあっては、アンプル容器において、内容液の付着力および表面張力の作用により、首部内に残留内容液が位置したままであると云う従前からの問題が解消されておらず、このため開封時に、この首部の残留内容液が飛散もしくは流出する、と云う問題があった。
【０００５】
すなわち、図７に示すように、従前からのアンプル容器は、一般的に、本体部Ｈに収納された内容液Ｎとは別に、首部相当部分である頭部５内に残留内容液ｎが、その付着力と表面張力の作用により、自重に逆らって本体部Ｈに流下することなく位置していることが多い。この状態は、内周面に付着している残留内容液ｎの下端液面ｎ１の周端縁に、残留内容液ｎの表面張力が均等に作用している状態で発揮される。
【０００６】
このように、残留内容液ｎが頭部５内に位置している状態で、弱化部１１相当部分を破断すると、この衝撃により残留内容液ｎが飛散、もしくは容器外に流出するのである。
【０００７】
そこで、本発明は、上記した従来技術における問題点を解消すべく創案されたもので、容器を正立状態では首部相当部分である頭部内に、残留内容液を位置させないことを技術的課題とし、もって開封時における内容液の飛散や流出を防止する、ことを目的とするものである。
【課題を解決するための手段】
【０００８】
上記課題を解決する本発明の第１発明の主たる構成は、
内容液を収容する有底筒状の本体部と、この本体部の上端に起立連設された有頂筒状の頭部と、本体部と頭部の境界部に形成され、本体部と頭部の相対変動により破断される弱化部と、頭部内に位置する残留内容液の下端液面の周端縁が付着する内周面部分の一部に形成され、内周面部分に沿って残留内容液の表面張力が均等に作用するのを阻害する突部とを備えていること、
突部は、アンプル容器成形用の有底筒状のプリフォームの内周面に、内周面部分から下の部分において突出高さが漸次低くなるように付形された縦リブが２軸延伸ブロー成形後も引き継がれて構成されていること、
頭部から本体部にかけて、内周面が、首部から肩部上端に向かい下方に拡径していること、
にある。
また、上記課題を解決する本発明の第２発明の主たる構成は、
成形される合成樹脂製アンプル容器が、内容液を収容する本体部と、この本体部の上端に起立連設された有頂筒状の頭部と、本体部と頭部の境界部に形成され、本体部と頭部の相対変動により破断される弱化部とを備えていること、
頭部内に位置する残留内容液の下端液面の周端縁が付着する内周面部分の一部に、内周面部分に沿って残留内容液の表面張力が均等に作用するのを阻止する突部を形成したこと、
この容器を成形するために、アンプル容器成形用の有底筒状のプリフォームを、成形型面の一部に凸起を設けたブロー割金型を用いて２軸延伸ブロー成形し、２軸延伸ブロー成形の際に凸起の相対的な押し込みにより突部を構成する凸部を成形すること、
にある。
【０００９】
内容液の密封収容は、頭部の開放状態となっている上端開口部から所定量の内容液を注入し、次いで頭部の上端開口部を熱加工により密閉して達成される。このため、本体部と頭部は連通した状態のまま、内容液を収容して取扱われるので、この頭部内には本体部から内容液が自由に出入りすることになる。
【００１０】
頭部内に浸入した内容液は、アンプル容器が正立姿勢になった際に、その付着力により内周面に付着し、重力に逆らって頭部内に残留内容液として留まろうとする。
【００１１】
この頭部内に浸入した残留内容液の付着力に対して、この残留内容液の下端液面が位置する内周面部分の一部には、内周面部分に沿って残留内容液の表面張力が均等に作用するのを阻害する突部が形成されているので、残留内容液は頭部内に留まる力を発揮することができない状態となり、このため頭部内から本体部に自然流下し、頭部内に残留内容液を生じさせることがない。
【００１３】
突部を、アンプル容器成形用の有底筒状のプリフォームの内周面に付形された縦リブで構成したものにあっては、内周面の一部に縦リブが形成されることにより、内周面部分の形状の周方向に沿った均等性がなくなるで、周方向に沿った残留内容液の表面張力の作用の均等性が喪失し、これにより残留内容液は自然流下する。
【００１５】
突部を、アンプル容器へのブロー成形の際に、ブロー金型からの相対押し込みにより成形される凸部で構成したものにあっては、内周面の一部に凸部が形成されることにより、内周面部分の形状の周方向に沿った均等性がなくなるので、周方向に沿った残留内容液の表面張力の作用の均等性が喪失し、これにより残留内容液は自然流下する。
【発明の効果】
【００１６】
本発明は、上記した構成となっているので、以下に示す効果を奏する。
本発明におけるアンプル容器の主たる構成においては、頭部内に浸入した内容液は本体部内に必ず自然流下し、頭部内に残留内容液を生じさせることがないので、本体部から頭部を破断して開封した際に、頭部内の残留内容液が飛散したり流出して不都合を発生することが皆無となり、常に良好な開封操作を得ることができる。
【００１７】
突部を、縦リブおよび凸部としたものにあっては、頭部内の内容液の、内周面部分に沿った表面張力の作用の均等性が喪失されて、頭部内の内容液は自然流下するので、頭部内の残留内容液の発生を確実に防止することができる。
【図面の簡単な説明】
【００１８】
【図１】本発明の第１発明の一実施形態例を示す、全体縦断面図である。
【図２】図１図示実施形態例の、要部縦断拡大図である。
【図３】図２中、Ａ−Ａ線に沿って切断矢視した、平面図である。
【図４】本発明の第２発明の実施により成形されるアンプル容器の一形態例を示す、全体縦断面図である。
【図５】図４図示形態例の、要部縦断拡大図である。
【図６】図５中、Ｂ−Ｂ線に沿って切断矢視した、平面図である。
【図７】従来技術の概要を説明するための、全体縦断面図である。
【発明を実施するための形態】
【００１９】
以下、本発明の第１発明の実施形態例を、図１〜図３を参照しながら説明し、本発明の第２発明の実施により成形される形態例を、図４〜図６を参照しながら説明する。
なお、上記各形態例では、本体部Ｈに対して頭部５が位置する側を上方とし、その反対側（図１における下側）を下方とする。
【００２０】
合成樹脂製アンプル容器は、有底筒状に２軸延伸ブロー成形され、内容液Ｎを収容する本体部Ｈと、この本体部Ｈの上端に起立連設された有頂筒状の頭部５と、本体部Ｈと頭部５の境界部に形成され、本体部Ｈと頭部５の折れ曲がりなどの相対変動により破断される弱化部１１とを備え、頭部５内に残留内容液ｎが位置した場合に、この残留内容液ｎの下端液面ｎ１の周端縁が付着する内周面部分６の一部に、残留内容液ｎの表面張力が内周面部分６に沿って均等に作用するのを阻害する突部７を形成して構成されている。
【００２１】
本体部Ｈ（図１、図４参照）は、有底筒状の胴部１と、この胴部１の上端に、上方に段状に縮径しながら起立連設された肩部２と、この肩部２の上端に小外径の首部３を介して外鍔構造の口鍔部４を連設して構成されており、頭部５は、この口鍔部４に、外側からの切り込みにより肉薄に成形された弱化部１１を介して連設されている。本体部Ｈの口鍔部４よりも下の部分は２軸延伸ブロー成形された部分であるのに対して、口鍔部４は、２軸延伸ブロー成形されない部分で、肉厚となっている。この口鍔部４は肉厚となっているので、後述する肉厚な頭部５との間に切り込みなどにより形成された弱化部１１は、口鍔部４および頭部５により殆ど変形することなく支えられることなり、これにより安定して良好に破断されることになる。
【００２２】
頭部５（図１、図４参照）は、口鍔部４と同様に２軸延伸ブロー成形されない部分で、当初から比較的肉厚に成形されているが、この頭部５から本体部Ｈにかけての内周面は、首部３から肩部２上端にかけての部分で急に下方に拡径している。このため、頭部５から本体部Ｈにかけての内周面域には、頭部５内に残留内容液ｎが位置した場合には、この残留内容液ｎの下端液面ｎ１（図７参照）が位置する内周面部分６が形成されることになる。
【００２３】
この内周面部分６の一部には、内周面部分６に沿って残留内容液ｎの表面張力が均等に作用するのを阻害する突部７を形成しているが、図１ないし図３に示した第１発明の実施形態例では、この突部７は、アンプル容器成形用の有底筒状のプリフォーム（図１の二点鎖線図示参照）の内周面に付形された縦リブ８が２軸延伸ブロー成形後も引き継がれて構成されている。それゆえ、頭部５から口鍔部４そして首部３付近にかけての部分には、プリフォームに付形された縦リブ８がそのまま位置することになるが、延伸変形を受け始める首部３の内周面、すなわち内周面部分６から下の部分では、縦リブ８の突出高さは次第に低くなっている。
【００２４】
この縦リブ８で構成される突部７は、図３に示されるように、３本の縦リブ８で構成されており、これにより形成された突部７の発揮する、残留内容液ｎの表面張力が均等に作用するのを阻害することを確実にしている。
【００２５】
図４ないし図６に示した突部７の第２発明の実施により成形される形態例では、突部７は、首部３に対向するブロー割金型の成形型面部分の一部に、予め凸起を設けておき、プリフォーム（図示省略）のアンプル容器へのブロー成形の際に、ブロー変形する首部３の一部を相対的に押し込んで、内周面部分６の一部に凸部９を成形し、この凸部９で突部７を構成する。このように、ブロー割金型に予め付形された凸起の相対的な押し込みにより凸部９を成形するので、凸部９が形成された首部３の外周面部分には凹部１０（図５参照）が付形されることになる。
【００２６】
この第２発明の実施により成形される形態例の場合、突部７を構成する凸部９を、内周面部分６に限定して成形することができる。
【００２７】
以上、第１発明の実施形態例及び第２発明の実施により成形される形態例に沿って本発明の構成とその作用効果について説明した。
【産業上の利用可能性】
【００２８】
本発明の第１発明の合成樹脂製アンプル容器及び本発明の第２発明により成形される合成樹脂製アンプル容器は、頭部内に残留内容液を生じさせないので、安全にかつ清潔に使用することができ、アンプル容器として広い分野での適用が可能とすることができる。
【符号の説明】
【００２９】
Ｈ  ；本体部
１  ；胴部
２  ；肩部
３  ；首部
４  ；口鍔部
５  ；頭部
６  ；内周面部分
７  ；突部
８  ；縦リブ
９  ；凸部
１０；凹部
１１；弱化部
Ｎ  ；内容液
ｎ  ；残留内容液
ｎ１；下端液面
【図１】
0006048785.tif 000002
【図２】
0006048785.tif 000003
【図３】
0006048785.tif 000004
【図４】
0006048785.tif 000005
【図５】
0006048785.tif 000006
【図６】
0006048785.tif 000007
【図７】
0006048785.tif 000008